(57)【要約】【課題】  机の作業空間の雰囲気を容易に変化させることができる壁板を備える机を提供すること。【解決手段】  机における天板２の後端側に、該天板２より上方に向けて延びる壁板４を備える机１において、前記壁板４の前面とは色彩が異なるスクリーン７ａを、前記壁板２の上部前側の収納位置と、該収納位置から引き出されて前記壁板４の前面側を覆う使用位置と、の間で移動自在に設けた。【選択図】  図１
2005218529.tif 000002
【特許請求の範囲】
【請求項１】
机における天板の後端側に、該天板より上方に向けて延びる壁板を備える机において、
前記壁板の前面とは色彩が異なるスクリーンを、前記壁板の上部前側の収納位置と、該収納位置から引き出されて前記壁板の前面側を覆う使用位置と、の間で移動自在に設けたことを特徴とする壁板を備える机。
【請求項２】
前記壁板の上部前側に、前記収納位置に移動したスクリーンを収縮させた状態で収納する収納空間部を設けた請求項１に記載の壁板を備える机。
【請求項３】
前記収納空間部内に、前記天板面を照らす照明装置を設けた請求項２に記載の壁板を備える机。
【請求項４】
前記天板の下面に、木炭粉末を含有する塗料組成物を塗布した請求項１〜３のいずれかに記載の壁板を備える机。
【請求項５】
前記壁板の下端を、前記天板の下方まで延設した請求項１〜４のいずれかに記載の壁板を備える机。
【請求項６】
前記天板の左右側に、床面から前記天板の上方までの上下幅及び前記天板の後端から前端までの前後幅を少なくとも有する側板を設けた請求項１〜５のいずれかに記載の壁板を備える机。
【請求項７】
前記使用位置に引き出したスクリーンの左右端が、前記側板の内面によりガイドされるようになっている請求項６に記載の壁板を備える机。
【発明の詳細な説明】
【技術分野】
【０００１】
本発明は、机における天板の後端側に、該天板より上方に向けて延びる壁板を備える机に関する。
【背景技術】
【０００２】
従来、この種の机としては、例えば利用者の集中力の減衰の防止等を目的として、机の利用者の視野を遮蔽するための壁板を例えば天板に設けたもの等がある（例えば、特許文献１参照）。
【０００３】
【特許文献１】実公平６−４１４６７号公報（第２頁、第３図）
【発明の開示】
【発明が解決しようとする課題】
【０００４】
ところで、例えば学習用に利用される学習机等においては、単に利用者の視野を遮蔽して利用者の集中力や学習意欲等の減衰を防止するためだけでなく、例えば試験等が近づくにつれて利用者の意識を効果的に高めていくことができるように、状況に応じて壁板の前面の色彩を変えることで机の作業空間の雰囲気を変えていくことができる机等が切望されていた。
【０００５】
しかしながら、特許文献１に記載したような机のピンナップボード（壁板）は、前述したようにあくまでも利用者の視野を遮蔽するためのものであったため、机の作業空間の雰囲気を変えるために例えば利用者に対向するピンナップボードの前面色を変えるには、ピンナップボード自体を交換しなければならず、手間がかかるばかりか、コストが嵩むといった問題を有していた。
【０００６】
本発明は、このような問題点に着目してなされたもので、机の作業空間の雰囲気を容易に変化させることができる壁板を備える机を提供することを目的とする。
【課題を解決するための手段】
【０００７】
上記課題を解決するために、本発明の請求項１に記載の壁板を備える机は、
机における天板の後端側に、該天板より上方に向けて延びる壁板を備える机において、
前記壁板の前面とは色彩が異なるスクリーンを、前記壁板の上部前側の収納位置と、該収納位置から引き出されて前記壁板の前面側を覆う使用位置と、の間で移動自在に設けたことを特徴としている。
この特徴によれば、壁板により利用者の視野が遮蔽されて利用者の集中力の減衰が防止されるばかりか、スクリーンを壁板の前面側に引き出したり、壁板の上部前側に収納することで、机の利用者と対向する壁板の前面側の色彩が変わることになるため、壁板により遮蔽された机の作業空間の雰囲気を利用状況に応じて容易に変化させることができる。
【０００８】
本発明の請求項２に記載の仕切板を備える机は、請求項１に記載の壁板を備える机であって、
前記壁板の上部前側に、前記収納位置に移動したスクリーンを収縮させた状態で収納する収納空間部を設けたことを特徴としている。
この特徴によれば、スクリーンを使用しないときは壁板上部の収納空間部にコンパクトに収納することができるため、天板の使用時にスクリーンが邪魔になることがない。
【０００９】
本発明の請求項３に記載の仕切板を備える机は、請求項２に記載の壁板を備える机であって、
前記収納空間部内に、前記天板面を照らす照明装置を設けたことを特徴としている。
この特徴によれば、照明装置を外観体裁良く設けることができる。
【００１０】
本発明の請求項４に記載の仕切板を備える机は、請求項１〜３のいずれかに記載の壁板を備える机であって、
前記天板の下面に、木炭粉末を含有する塗料組成物を塗布したことを特徴としている。
この特徴によれば、天板下面に塗布した塗料組成物により利用者の足下の消臭効果や調湿効果等が得られるため、机の雰囲気をより向上させることができる。
【００１１】
本発明の請求項５に記載の仕切板を備える机は、請求項１〜４のいずれかに記載の壁板を備える机であって、
前記壁板の下端を、前記天板の下方まで延設したことを特徴としている。
この特徴によれば、天板の上方から下方まで延びる壁板が１枚の板材により構成されるため、机の強度が高まる。
【００１２】
本発明の請求項６に記載の仕切板を備える机は、請求項１〜５のいずれかに記載の壁板を備える机であって、
前記天板の左右側に、床面から前記天板の上方までの上下幅及び前記天板の後端から前端までの前後幅を少なくとも有する側板を設けたことを特徴としている。
この特徴によれば、使用者の左右側の視野が側板により遮蔽されるため、机の利用者の集中力を高めることができる。
【００１３】
本発明の請求項７に記載の仕切板を備える机は、請求項６に記載の壁板を備える机であって、
前記使用位置に引き出したスクリーンの左右端が、前記側板の内面によりガイドされるようになっていることを特徴としている。
この特徴によれば、使用位置に引き出されたスクリーンの左右両端が側板の内面にガイドされるため、スクリーンが風等によりなびいたりすることが防止される。
【発明を実施するための最良の形態】
【００１４】
本発明の実施例を以下に説明する。
【実施例】
【００１５】
まず図１には、本発明が適用された学習机１（以下机と略称する）を斜め前方から見た状態の斜視図が示されており、該机１は、天板２と、該天板２の左右両端部側を支持する側板３、３と、天板２の後端側に設けられる壁板としての背面板４と、から主に構成されており、天板２の左右幅方向に向けて約３人が並列状態で着席して利用することができるように横長に形成されている。なお、本実施例における机１を構成する天板２、側板３、３、背面板４は木製の板材からなる。
【００１６】
左右の側板３、３は、床面から天板２の上方までの上下幅を有するとともに、天板２の後端から前端の前方までの前後幅を有する板材にて構成されており、天板２の両端は、これら側板３、３における上下方向の略中央部の高さ位置に固定されている。
【００１７】
背面板４は、天板２の下方から天板２の上方まで延びる１枚の板材にて構成されており、天板２及び側板３、３の後端面に前面端部を当接した状態で固定されている。また、背面板４の上端は側板３、３の上端よりも上方まで延設されている。
【００１８】
側板３、３の上端よりも上方まで延設された背面板４の上部前面からは、背面板４の長手方向に延びる水平板５が前側に向けて連設されているとともに、該水平板５の前端部からは背面板４の長手方向に延びる垂直板６が側板３、３の上端まで垂設されており、該水平板５の下面には、ロールスクリーン７及び照明装置としての蛍光灯８が取付けられている（図３参照）。
【００１９】
すなわち、背面板４の上部前側には、背面板４の上部及び水平板５、垂直板６とに囲まれた下面が開口する収納空間部Ｓが形成されており、この収納空間部Ｓ内にロールスクリーン７及び蛍光灯８が収納されている。
【００２０】
本実施例におけるロールスクリーン７は、赤色に着色されたスクリーン７ａを有するロールスクリーンが使用されており、背面板４の前面側の水平板５の下面に取付部材を介して取付けられている。スクリーン７ａは、特に図３に示されるように、前記取付部材に回動自在に設けられた芯材にロール状に巻回して収納される収納位置（図３（ａ）参照）と、スクリーン７ａの下端を下方に引き出すことにより背面板４の前面４ａを覆う使用位置（図３（ｂ）参照）と、の間で移動自在に設けられている。また、スクリーン７ａは、背面板４の前面４ａの全域を覆うように天板２上面付近まで引き出された使用位置のみならず、任意の位置で停止させることができるストッパ機構を有している。
【００２１】
なお、ロールスクリーン７の巻取り機構やストッパ機構等は従来公知の技術が適用されているため、ここでの詳細な説明は省略することとする。
【００２２】
また、スクリーン７ａの左右幅は、背面板４の左右幅よりも若干小寸とされており、背面板４の前面４ａの前方に引き出された状態において、左右両端が左右の側板３、３の内側を上下動することになる。これにより使用位置に引き出された状態においてスクリーン７ａの左右両端が側板３、３の内面にガイドされるため、風等により大きくなびいたりすることがない。
【００２３】
また、蛍光灯８は、収納空間部Ｓにおけるロールスクリーン７の取付位置よりも前方に取り付けられているため、スクリーン７ａを使用位置に引き出した状態においても、天板２の上面の照明に支障をきたすことがないばかりか、スクリーン７ａの前面側が照らされることになるため、照射光によりスクリーン７ａの彩度が高まるようになっている。
【００２４】
天板２の下面には、図３（ａ）に示されるように、木炭粉末を含有する塗料が塗布されており、該塗料による皮膜層９が形成されている。本実施例に使用されている塗料は、ポリアミド樹脂であるナイロン（登録商標）樹脂と、該ナイロン樹脂の溶剤と、木炭粉末とを含有してなる。このように、木炭粉末を含有する被膜層９は、木炭の持つ特性により、調湿（湿気の吸着、調節、結露防止）・防腐効果や、化学物質（有害ガス）・タバコや体臭等の悪臭の消臭、脱臭効果があるとともに、さらには木炭が有する電気的特性からマイナスイオンの供給効果が得られることになる。
【００２５】
なお、塗料に含有させる木炭粉末は、粉砕・細分化することにより微粒粉末にすることにより木炭粉末の表面特性から触媒活性や表面エネルギーが高まって物理的・化学的特性が現れることから、微粒粉末にすることが好ましい。
【００２６】
以上説明したように、本発明の実施例としての机１にあっては、背面板４の前面４ａとは色彩が異なるスクリーン７ａが、背面板４の上部前側に設けられた収納空間部Ｓ内の収納位置と、該収納位置から引き出されて背面板４の前面４ａを覆う使用位置と、の間で移動自在に設けられているため、背面板４により利用者の視野が遮蔽されて利用者の集中力の減衰が防止されるばかりか、スクリーン７ａを背面板４の前面４ａ側に引き出したり、背面板４の上部前側の収納空間部Ｓに収納することで、机１の利用者と対向する背面板４の前面４ａ側の色彩が変わることになるため、背面板４により遮蔽された机１の作業空間の雰囲気を利用状況に応じて容易に変化させることができる。
【００２７】
すなわち、背面板４は前述したように木材からなるため、その前面４ａの色彩は白木色であり、スクリーン７ａの色彩は赤色であるため、スクリーン７ａを下方の使用位置に引き出せば天板２の後端側の背景色が白木色から赤色に変わることになり、スクリーン７ａを収納空間部Ｓ内に設けられた芯材に巻取って収納すれば、背面板４の前面色である白木色に変わることになる。
【００２８】
このようにスクリーン７ａの引出し、巻取り操作をすることで、天板２の後端側を遮蔽する背面板４の前面側の色彩が変わるため、机１における作業空間の雰囲気を利用状況に応じて容易に変えることができる。具体的には、例えば通常時はスクリーン７ａを収納空間部Ｓ内に収納した状態で使用し、例えば利用者の試験等が近づいたとき等においてスクリーン７ａを使用位置に引き出して使用することで、机１の作業空間が赤色のもつ雰囲気、すなわち、高揚の気分に変えることができるため、利用者の学習意欲を高めていくこと等が可能となる。
【００２９】
また、スクリーン７ａは任意の引出し位置にて停止させるストッパ機構を有しているるため、引出し量を自在に調整することで、スクリーン７ａの色彩による効果を引出し量により容易に調節することができる。
【００３０】
また、スクリーン７ａは背面板４の上端の収納空間部Ｓ内に巻取られてコンパクトに収納できるようになっているため、スクリーン７ａの非使用時に天板２の作業時に邪魔になることがない。さらに、収納空間部Ｓは下向きに開口する箱形に形成されているため、収納されたロールスクリーン７や蛍光灯８が外部から見えないように隠蔽されるので、外観体裁が向上する。
【００３１】
また、この下向きコ字形に形成された収納空間部Ｓ内におけるロールスクリーン７の取付位置よりも利用者側に蛍光灯８が取付けられていることにより、スクリーン７ａを使用位置に引き出しても天板２上の照明に支障をきたすことがない。
【００３２】
また、側板３、３及び背面板４により、天板２の上方における左右側及び後端側が囲まれて外部と遮蔽されて、利用者の視野が遮られることになるため、利用者の集中力を効果的に高めることができる。さらに、これら左右の側板３、３内面にスクリーン７ａの左右端部がガイドされることになるため、風等により引き出したスクリーン７ａがなびいたりすることが効果的に防止されることになる。
【００３３】
また、背面板４は天板下方から天板の上方まで延設される１枚の板材にて構成されているため、天板２の後端下方の幕板と後端上方の壁板とを別体で構成する場合に比べて机１の強度が高まる。
【００３４】
また、天板２の下面に木炭粉末を含有する被膜層９が形成されていることにより、木炭の持つ特性により、調湿（湿気の吸着、調節、結露防止）・防腐効果や、化学物質（有害ガス）・タバコや体臭等の悪臭の消臭、脱臭効果があるとともに、さらには木炭が有する電気的特性からマイナスイオンの供給作用が得られることになるため、机１における雰囲気を向上させるための空調効果が得られることになる。
【００３５】
以上、本発明の実施例を図面により説明してきたが、具体的な構成はこれら実施例に限られるものではなく、本発明の要旨を逸脱しない範囲における変更や追加があっても本発明に含まれる。
【００３６】
例えば、上記実施例では、本実施例においては、背面板４の前面４ａの色彩が白木色、スクリーン７ａが赤色であったが、これら前面４ａ及びスクリーン７ａが互いに異なる色彩であれば、前面４ａ、スクリーン７ａの色彩は上記白木色と赤色に限定されるものではなく、利用状況や目的等に応じて任意に変更可能である。例えば、落ち着いた学習環境を得るためには前面４ａまたはスクリーン７ａのいずれかを青色等の寒色系とし、他方を気持ちを高揚させる赤色等の暖色系とすることが可能である。
【００３７】
また、本発明においては、背面板４の前面４ａとスクリーン７ａとの色彩が異なっていれば、例えば両者の色彩の彩度や明度等を利用状況に応じて種々に変えるようにしてもよい。さらに、蛍光灯８の照明色を変化させることでスクリーン７ａの色合いに変化を持たせることも可能である。
【００３８】
また、上記実施例においては、背面板４の前面４ａ側に１つのロールスクリーン７を設けていたが、例えば図４に示されるように、背面板４の前面４ａから天板２の前方に向けて、色彩がそれぞれ異なる複数枚のスクリーン７ａ、７ｂ等を設けてもよい。このようにすることで、例えば利用状況に応じていずれかのスクリーンを引出せば、背面板４の前面４ａ側の色彩を複数色に変化させることができるため、机１の作業空間に複数パターンの雰囲気を持たせることができる。
【００３９】
また、上記実施例におけるロールスクリーン７を収納空間部Ｓ内に着脱自在に設ければ、色彩の異なるスクリーン７ａに容易に交換することができる。
【００４０】
また、上記実施例におけるスクリーン７ａは、収納空間部Ｓ内に取付部材を介して回動自在に取付けられた芯材に巻取り自在とされたロールスクリーン７が適用されていたが、スクリーンは芯材に巻取ることで収納自在なスクリーンに限定されるものではなく、例えば蛇腹状に折り畳み自在なスクリーン等を適用してもよい。
【００４１】
また、上記実施例における側板３、３の前後幅は天板２の前後幅よりも長寸に形成されているが、使用位置に引き出されたスクリーン７ａの左右両端をガイドできるようになっていれば、必ずしも前後幅が天板２の前後幅よりも長寸に形成されていなくてもよい。
【００４２】
また、上記実施例においては、天板２の下面のみに木炭粉末を含有する皮膜層９を形成したが、例えば側板３、３や背面板４の前面４ａにおける天板２の下方領域にも皮膜層９を形成してもよい。
【００４３】
また、木炭粉末を含有する塗料に変えて、トルマリン鉱石の微粉末を含有する塗料等を塗布してもよく、このようにすることで、マイナスイオンの供給効果が得られることになり、机の作業空間にマイナスイオン雰囲気を作ることができる。
【図面の簡単な説明】
【００４４】
【図１】本発明の実施例における壁板を備える机を斜め前方から見た状態を示す斜視図である。
【図２】スクリーンを使用位置に引き下げた状態の机を斜め前方から見た状態を示す斜視図である。
【図３】（ａ）は図１のＡ−Ａ断面図であり、（ｂ）は図２のＢ−Ｂ断面図である。
【図４】本発明の変形例を示す図である。
【符号の説明】
【００４５】
１                机
２                天板
３                側板
４                背面板（壁板）
４ａ              前面
５                水平板
６                垂直板
７                ロールスクリーン
７ａ              スクリーン
８                蛍光灯（照明装置）
９                皮膜層
【図１】
2005218529.tif 000003
【図２】
2005218529.tif 000004
【図３】
2005218529.tif 000005
【図４】
2005218529.tif 000006